(57)【要約】本発明は、固定部材（７）の開口（７ｃ）の蓋を形成する閉鎖位置と、固定部材（７）と連携して動作することが可能なロック部材（５）のための開口（７ｃ）の中への通路を開放するために固定部材（７）の下へ引き込む、引き込み位置とをとることが可能な可動キャップ（９ｃ）を含んでなる固定部材（７）の閉鎖装置に関する。本発明の固定部材の閉鎖装置は、第１の部分と第２の部分とを含んで形成された閉鎖部材（９）を有し、第１の部分である上部（９ａ）は、固定部材（７）の周囲に弾性的に嵌め込まれ、固定部材（７）の開口（７ｃ）を通り抜ける通路を開放するのに適した形状を有し、第２の部分は可動キャップ（９ｃ）からなり、可動キャップ（９ｃ）は、第１の部分に対して回動可能で、一端が、可動キャップ（９ｃ）の閉鎖位置において、固定部材（７）の開口（７ｃ）を塞ぐことを特徴とする。
2007537092.tif 000002
【特許請求の範囲】
【請求項１】
固定部材（７）の開口（７ｃ）の蓋を形成する閉鎖位置と、上記固定部材（７）と連携して動作することが可能なロック部材（５）のための上記開口（７ｃ）の中への通路を開放するために上記固定部材（７）の下へ引き込む、引き込み位置とをとることが可能な可動キャップ（９ｃ）を含んでなる固定部材（７）の閉鎖装置において、第１の部分と第２の部分とを含んで形成された閉鎖部材（９）を有し、上記第１の部分である上部（９ａ）は、上記固定部材（７）の周囲に弾性的に嵌め込まれ、上記固定部材（７）の上記開口（７ｃ）を通り抜ける上記通路を開放するのに適した形状を有し、上記第２の部分は上記可動キャップ（９ｃ）からなり、上記可動キャップ（９ｃ）は、上記第１の部分に対して回動可能で、一端が、上記可動キャップ（９ｃ）の上記閉鎖位置において、上記固定部材（７）の上記開口（７ｃ）を塞ぐことを特徴とする、固定部材の閉鎖装置。
【請求項２】
上記閉鎖部材（９）の上記第１の部分である上記上部（９ａ）は、上記固定部材（７）の第１の端部と接触する肩状部（１４）からなる端部を有し、上記上部（９ａ）の上記端部に対向する端部は、上記固定部材（７）の第２の端部と接触するフランジ端部（１０）からなり、このため、上記閉鎖部材（９）は、上記固定部材（７）に対する並進運動を阻止されることを特徴とする、請求項１に記載の固定部材の閉鎖装置。
【請求項３】
上記閉鎖部材（９）の上記第１の部分である上記上部（９ａ）の少なくとも２つの対向する端部は、持ち上げられた端部（１２）を有し、このため、上記閉鎖部材（９）は、上記固定部材（７）に対する並進運動を阻止されることを特徴とする、請求項１または２に記載の固定部材の閉鎖装置。
【請求項４】
上記閉鎖部材（９）は、上記上部（９ａ）と上記可動キャップ（９ｃ）とを支持する中央部（９ｂ）を含んで形成され、上記中央部（９ｂ）と上記可動キャップ（９ｃ）との交線は、上記可動キャップ（９ｃ）の回動軸を定めることを特徴とする、請求項１〜３のいずれか１つに記載の固定部材の閉鎖装置。
【請求項５】
上記肩状部（１４）は、上記中央部（９ｂ）と上記上部（９ａ）との交線にそって形成されることを特徴とする、請求項２に従属する場合の請求項４に記載の固定部材の閉鎖装置。
【請求項６】
上記可動キャップ（９ｃ）の上記閉鎖位置において、上記固定部材（７）の上記開口（７ｃ）を塞ぐ、上記可動キャップ（９ｃ）の上記一端が、凹部（１６）を有することを特徴とする、請求項１〜５のいずれか１つに記載の固定部材の閉鎖装置。
【発明の詳細な説明】
【技術分野】
【０００１】
本発明は、特に着脱可能な自動車の座席を固定するために用いられる固定部材の閉鎖装置に関する。
【背景技術】
【０００２】
着脱可能な自動車の座席のための様々な固定装置が知られている。いずれの場合も、これらの装置は、着脱可能な座席が取り付けられているときの許容可能なレベルの固定と安全性を確保し、不時の固定解除を回避しながら、座席の比較的迅速で容易な取り付けを可能にする。
【０００３】
しかしながら、これらの装置に伴う問題が認められている。例えば、いわゆる「ミニバン」についての望ましい形態の１つである、このような座席が取り付け位置から取り外された形態においては、座席を固定するために自動車の床に設けられた穴の開口部は、開かれたままになっている。従って、小さな異物が開口部を通して穴の中へ落ち込むリスクがある。このような異物は、ある場合には、座席の最終的な配置を完全に妨げ、他の場合には、座席が部分的にしか固定されないという危険をもたらし、従って、例えば衝突時の潜在的な危険をもたらす可能性がある。
【０００４】
更に、開いたままのこのような開口部の存在は、自動車のパッセンジャーコンパートメントがユーザに与える美的印象を損なう。
【０００５】
本出願人は、未公開の特許出願ＦＲ  ０３−１０５９９において、薄い弾性板から構成された１つの解決策を開示した。この薄い弾性板の一部分は、開口部を閉鎖し、薄い弾性板の他の部分は、床への溶接または鋲結を可能にする。このような解決策には、弾性板を取り付けるために選択される手段に様々な問題が伴う。すなわち、薄い弾性板を鋲結する場合には、鋲結に必要なリベット穴が防水上の問題をもたらし、一方、薄い弾性板を溶接する場合には、薄い弾性板に望まれる弾性と、床に溶接するために薄い弾性板に要求される剛性との間の妥協点を見出すことが困難である。
【特許文献１】ＥＰ  １  ２５８  ３８９  Ａ
【特許文献２】ＦＲ  ２  ８３２  １０５  Ａ
【特許文献３】ＦＲ  ２  ７９３  １９９  Ａ
【特許文献４】ＦＲ  ２  ８５９  ４１７  Ａ
【発明の開示】
【発明が解決しようとする課題】
【０００６】
本発明の目的は、従来の解決策の美観上及び機能上の問題を解消して、組み付け時の容易な取り付けを可能にする閉鎖装置を提供し、着脱可能な座席が取り外されているときの自動車の感覚的な品質を改善し、着脱可能な座席が取り付けられているときの固定が不良になるリスクを制限することを目的とする。
【課題を解決するための手段】
【０００７】
本発明の上記目的は、固定部材の開口の蓋を形成する閉鎖位置と、上記固定部材と連携して動作することが可能なロック部材のための上記開口の中への通路を開放するために上記固定部材の下へ引き込む、引き込み位置とをとることが可能な可動キャップを含んでなる固定部材の閉鎖装置において、第１の部分と第２の部分とを含んで形成された閉鎖部材を有し、上記第１の部分である上部は、上記固定部材の周囲に弾性的に嵌め込まれ、上記固定部材の上記開口を通り抜ける上記通路を開放するのに適した形状を有し、上記第２の部分は上記可動キャップからなり、上記可動キャップは、上記第１の部分に対して回動可能で、一端が、上記可動キャップの上記閉鎖位置において、上記固定部材の上記開口を塞ぐことを特徴とする、固定部材の閉鎖装置を用いて達成される。
【０００８】
本発明のその他の特徴によれば：
−上記閉鎖部材の上記第１の部分である上記上部は、上記固定部材の第１の端部と接触する肩状部からなる端部を有し、上記上部の上記端部に対向する端部は、上記固定部材の第２の端部と接触するフランジ端部からなり、このため、上記閉鎖部材は、上記固定部材に対する並進運動を阻止され、
−上記閉鎖部材の上記第１の部分である上記上部の少なくとも２つの対向する端部は、持ち上げられた端部を有し、このため、上記閉鎖部材は、上記固定部材に対する並進運動を阻止され、
−上記閉鎖部材は、上記上部と上記可動キャップとを支持する中央部を含んで形成され、上記中央部と上記可動キャップとの交線は、上記可動キャップの回動軸を定め、
−上記肩状部は、上記中央部と上記上部との交線にそって形成され、
−上記可動キャップの上記閉鎖位置において、上記固定部材の上記開口を塞ぐ、上記可動キャップの上記一端が、凹部を有する。
【発明を実施するための最良の形態】
【０００９】
本発明のその他の特徴及び利点は、理解のために添付図面を参照する、以下の詳細な説明を読むことによって明らかとなるであろう。これらの図面において：
−図１は、従来技術の、座席の固定部材の閉鎖装置の、概ね垂直な面に沿った断面図であり；
−図２は、本発明の１実施の形態の、概ね垂直な面に沿った断面図であり、引き込み可能なボール付きの可動なロック部材が、ロック解除位置において示され、閉鎖部材は所定の位置にあり；
−図３は、本発明に特有の実施の形態の断面図であり、可動なロック部材はロック位置にあり、閉鎖部材は引き込み位置にあり；
−図４は、本発明に特有の実施の形態による閉鎖部材の斜視図である。
【００１０】
図１は、上述した未公開の特許出願ＦＲ  ０３−１０５９９における固定部材の閉鎖装置を示す。穴２が自動車の床に設けられ、この穴２は、上に向かって開いている。この穴２は、着脱可能な座席６のロック部材５を固定するための固定部材７の収容の役割をする。並進移動可能なこのロック部材は、丸みを付けられた貫通部５ａの内部から一部が突出した、周知の引き込み可能なボール１１を有する。穴２には、穴２の形状に部分的または全体的に合致するように形成され（例えば型打ちによって）、上へ向けて開いた部分３ａの範囲を限定する、全体として板金で作られた、湾曲形状部４からなる取付け用の部品すなわち収容部３が設けられている。収容部３は、湾曲形状部４の周りに、平らな縁１３を有する。縁１３は、周知で図示しない方法、特に溶接によって、自動車の床１へ取り付けられる。この取り付けは、収容部３に、以下に説明する固定部材と可動な閉鎖部材とが取り付けられるときに１度に行われる。
【００１１】
収容部３によって範囲を限定された、上へ向けて開いた部分３ａは、その上部に、固定部材７を受ける。固定部材７は、引き込み可能なボール付きの可動なロック部材５を受け入れるための受け座板を形成する。この固定部材７は、受け座板を形成する板金の形状をなし、開口７ｃが設けられ、湾曲形状部４へ取り付けられる。例えば、上部が概ね長方形の湾曲形状部４は、２つの縦方向の側面を形成する側壁上に、図示しない肩部を有することができ、固定部材７は、肩部の上へ横方向に押し付けて溶接することができる。
【００１２】
上へ向けて開いた部分３ａは、閉鎖部材９も受ける。閉鎖部材９は、少なくとも１つの薄い細長片または舌状片のような低部の伸長部を有するように成型された、切断して成形された薄い金属板（厚さ数ミリメートル）からなる金属部品、または薄いプラスチック部品である。低部の伸長部は、閉鎖部材９の上部に形成された中央部９ｂに弾性的に回動可能（例えば軸Ｙにおける折り目によって）に取り付けられた、閉鎖部材９の第２の部分である可動キャップ９ｃを形成する。
【００１３】
本発明によれば、図２〜４に示すように、閉鎖部材は、第１の部分である上部９ａを含む。上部９ａは、中央部９ｂから伸び、この上部９ａの固定部材７の周りにおける弾性的な嵌めこみを可能にするのに適した形状を有する。このための、固定部材７の上面７ａの全体の上を伸びる上部９ａが、図２、３に示されている。上部９ａは、中央部９ｂに対向するフランジ端部１０を有する。フランジ端部１０は、固定部材７の一端（第２の端部）に接触して載る。また、固定部材７の他端（第１の端部）は、上部９ａと中央部９ｂとの間に形成された肩状部１４に接触し、このようにして、閉鎖部材９は固定部材７に対して不動化される。
【００１４】
閉鎖部材９の装着は、装着作業者が、床１に設けられた穴２へアクセス可能になるように、着脱可能な座席６の一端が持ち上げられて９０°回転したときに実行される。装着作業者は、可動キャップ９ｃを固定部材７の下へ通し、閉鎖部材９を、肩状部１４が、固定部材７の上記の他端と接触するまで押す。したがって、閉鎖部材９は、フランジ端部１０が、固定部材７の上記の一端との、並進運動の第１のロックを確実にする寸法にする。閉鎖部材９の固定部材７に対するこの並進運動のロックを実行するために、装着作業者は、最初に、フランジ端部１０を固定部材７の端部の１つによって支持しながら、固定部材７を、閉鎖部材９で覆う。次いで、閉鎖部材９の弾性的な性質を利用して、肩状部１４を固定部材７の対向する端部（第１の端部）に対して押し付ける。したがって、肩状部１４をフランジ端部１０へ向けて押す閉鎖部材９の弾性的な力によって、閉鎖部材９が固定部材７に対して固定される。
【００１５】
したがって、全ての場合に、閉鎖部材９は固定部材７の周りに位置付けられ、縦軸方向の並進運動がロックされる。フランジ端部１０と肩状部１４との間に位置し、横軸方向の並進運動における第２のロックを可能にするための持ち上げられた端部１２を有する、上部９ａの側端部を有利に設けることができる。閉鎖部材９は、固定部材７の両側における、特に固定部材７の上面７ａを覆う上部９ａと、閉鎖位置において固定部材７の下面７ｂに接触して弾性的に張り付けられた可動キャップ９ｃから形成された下部とを有するので、垂直方向に移動することはない。
【００１６】
一方では閉鎖部材９を形成する材料の弾性（この弾性は、例えば板金の厚さに関連する）によって、他方では閉鎖部材９の全般的な形状によって、可動キャップ９ｃは、概ね水平で横方向にあり、可動キャップ９ｃの表面と中央部９ｂの表面との交線によって定められる軸Ｙの周りに回動可能である。したがって、薄い細長片である可動キャップ９ｃは、薄板バネ型のバネとして機能する。
【００１７】
着脱可能な座席６が床１に装着されるときには、ロック部材４の貫通部５ａが、固定部材７の開口７ｃの中に配置される。着脱可能な座席６の重量の作用によって、及び閉鎖部材９の形状と弾性とを考慮に入れると、可動キャップ９ｃは、軸Ｙの周りを、収容部３の底部へ向けて回動し始める。このようにして、最初は閉鎖されていた開口７ｃが開かれ、貫通部５ａの端部の貫通、次いでロックが可能になる（図３参照）。
【００１８】
着脱可能な座席６が取り外されるとき（図２参照）には、貫通部５ａの端部は、固定部材７の開口７ｃから除去される。少なくとも可動キャップ９ｃ（上述のように、薄板バネ型の戻しバネを形成する）を形成する材料に固有の弾性と組み合わされた閉鎖部材９全体の形態は、可動キャップ９ｃを、固定部材７の下面７ｂへ張り付けられ、固定部材７の開口７ｃを再び閉鎖する、初期の位置へ戻すことを可能にする。
【００１９】
図３、４に示す変形によれば、閉鎖部材９の中央部９ｂに対向する可動キャップ９ｃの端部は、上に向けて窪んだ凹部１６を有する。凹部１６は、貫通部５ａの端部と閉鎖部材９との接触領域に対応する。閉鎖位置にある閉鎖部材９の可動キャップ９ｃを引き込ませるためには、貫通部５ａの端部と、関連する着脱可能な座席６は、閉鎖部材９の可動キャップ９ｃと接触したのち、さらに下方へ移動する必要がある。可動キャップ９ｃの端部が凹部１６を有するこの形態は、可動キャップ９ｃの端部がロック部材５に伴ってより下まで移動する必要がないので、閉鎖部材９が図３に示す引き込み位置にあるときの収容部の深さを、より浅くすることを可能にするという利点を有する。
【００２０】
本発明による固定部材の閉鎖装置は簡単であり、安価に装着することが可能であり、量産に適応可能である。
【図１】
2007537092.tif 000003
【図２】
2007537092.tif 000004
【図３】
2007537092.tif 000005
【図４】
2007537092.tif 000006
【国際調査報告】
2007537092.tif 000007
2007537092.tif 000008
2007537092.tif 000009
2007537092.tif 000010